(57)【要約】【課題】省電力状態からの復帰時において、ロック画面が表示されるより前に他の画面が表示されることを抑制すること。【解決手段】本願に係る端末装置は、移行要求受付部と、設定部と、復帰要求受付部と、解除操作受付部とを備える。移行要求受付部は、省電力状態への移行要求を受け付ける。設定部は、移行要求受付部によって移行要求が受け付けられた場合に、所定の機能の使用を制限するロック状態を設定する。復帰要求受付部は、省電力状態からの復帰要求を受け付ける。解除操作受付部は、復帰要求受付部によって復帰要求が受け付けられた場合に、ロック状態で待機した状態を中断して、ロック状態の解除操作を受け付ける。【選択図】図３
2016062398.tif 000002
【特許請求の範囲】
【請求項１】
省電力状態への移行要求を受け付ける移行要求受付部と、
前記移行要求受付部によって前記移行要求が受け付けられた場合に、所定の機能の起動を制限するロック状態を設定し、当該ロック状態で待機する設定部と、
前記省電力状態からの復帰要求を受け付ける復帰要求受付部と、
前記復帰要求受付部によって前記復帰要求が受け付けられた場合に、前記ロック状態で待機した状態を中断して、前記ロック状態の解除操作を受け付ける解除操作受付部と
を備えることを特徴とする端末装置。
【請求項２】
前記設定部は、
前記移行要求が受け付けられた場合に、前記ロック状態を示すロック画面を表示部へ表示させた状態で前記表示部を消灯すること
を特徴とする請求項１に記載の端末装置。
【請求項３】
前記端末装置は、
着信を通知する着信通知機能を有し、
前記設定部は、
複数の表示レイヤのうち、前記着信通知機能によって使用される表示レイヤと同一の表示レイヤに前記ロック画面を表示すること
を特徴とする請求項２に記載の端末装置。
【請求項４】
前記ロック状態で待機した状態において、前記表示部への表示処理を繰り返す停止抑制部
を備えること特徴とする請求項２または３に記載の端末装置。
【請求項５】
前記移行要求が受け付けられた場合に、前記ロック画面に対応するダミー画像を生成するダミー画像生成部と、
前記復帰要求受付部によって前記復帰要求が受け付けられた場合に、前記ダミー画像生成部によって生成されたダミー画像を前記表示部に表示する表示処理部と
第１モードと第２モードとを切り替える切替部と
を備え、
前記設定部は、
前記第１モードにおいて、前記移行要求受付部によって前記移行要求が受け付けられた場合に、前記ロック状態を設定し、当該ロック状態で待機し、
前記ダミー画像生成部は、
前記第２モードにおいて、前記ダミー画像を生成すること
を特徴とする請求項２〜４のいずれか一つに記載の端末装置。
【請求項６】
前記切替部は、
前記端末装置に内蔵された充電池の残容量が閾値を下回った場合に、前記第１モードから前記第２モードへ切り替えること
を特徴とする請求項５に記載の端末装置。
【請求項７】
端末装置が実行する情報処理方法であって、
省電力状態への移行要求を受け付ける受付工程と、
前記受付工程によって前記移行要求が受け付けられた場合に、所定の機能の起動を制限するロック状態を設定し、当該ロック状態で待機する設定工程と、
前記省電力状態からの復帰要求を受け付ける復帰要求受付工程と、
前記復帰要求受付工程によって前記復帰要求が受け付けられた場合に、前記ロック状態で待機した状態を中断して、前記ロック状態の解除操作を受け付ける解除操作受付工程と
を含むことを特徴とする情報処理方法。
【請求項８】
省電力状態への移行要求を受け付ける受付手順と、
前記受付手順によって前記移行要求が受け付けられた場合に、所定の機能の起動を制限するロック状態を設定し、当該ロック状態で待機する設定手順と、
前記省電力状態からの復帰要求を受け付ける復帰要求受付手順と、
前記復帰要求受付手順によって前記復帰要求が受け付けられた場合に、前記ロック状態で待機した状態を中断して、前記ロック状態の解除操作を受け付ける解除操作受付手順と
をコンピュータに実行させることを特徴とする情報処理プログラム。
【発明の詳細な説明】
【技術分野】
【０００１】
本発明は、端末装置、情報処理方法および情報処理プログラムに関する。
【背景技術】
【０００２】
従来、スマートフォンやタブレット型ＰＣ（Personal  Computer）などの端末装置において、セキュリティの保護や誤操作の防止を目的として、アプリケーションの起動を制限する端末ロックが知られている。
【０００３】
たとえば、端末装置を省電力状態から通常状態へ復帰させる操作がユーザによりなされた場合に、ロック画面を生成して表示部に表示する技術が知られている。
【先行技術文献】
【特許文献】
【０００４】
【特許文献１】特開２０１３−２００８２８号公報
【発明の概要】
【発明が解決しようとする課題】
【０００５】
しかしながら、上述した従来技術では、端末装置を省電力状態から通常状態へ復帰させる操作がなされた後で、ロック画面を生成して表示する処理が開始されるため、処理が完了するまでの間に、ホーム画面等の他の画面が表示されるおそれがあった。
【０００６】
本願は、上記に鑑みてなされたものであって、省電力状態からの復帰時において、ロック画面が表示されるより前に他の画面が表示されることを抑制することができる端末装置、情報処理方法および情報処理プログラムを提供することを目的とする。
【課題を解決するための手段】
【０００７】
本願に係る端末装置は、省電力状態への移行要求を受け付ける移行要求受付部と、前記移行要求受付部によって前記移行要求が受け付けられた場合に、所定の機能の起動を制限するロック状態を設定し、当該ロック状態で待機する設定部と、前記省電力状態からの復帰要求を受け付ける復帰要求受付部と、前記復帰要求受付部によって前記復帰要求が受け付けられた場合に、前記ロック状態で待機した状態を中断して、前記ロック状態の解除操作を受け付ける解除操作受付部とを備えることを特徴とする。
【発明の効果】
【０００８】
実施形態の一態様によれば、省電力状態からの復帰時において、ロック画面が表示されるより前に他の画面が表示されることを抑制することができる。
【図面の簡単な説明】
【０００９】
【図１】図１は、実施形態に係る情報処理の一例を示す説明図である。
【図２】図２は、実施形態に係る端末装置の構成例を示す図である。
【図３】図３は、実施形態に係るロックアプリ部の構成例を示す図である。
【図４】図４は、実施形態に係る設定部の構成例を示す図である。
【図５】図５は、実施形態に係るロックアプリ部によって表示されるロック画面の一例を示す図である。
【図６】図６は、表示レイヤの一例を示す図である。
【図７】図７は、実施形態に係るロックアプリ部によって表示される音声入力画面の一例を示す図である。
【図８】図８は、実施形態に係るロックアプリ部によって表示される解除情報入力画面の一例を示す図である。
【図９】図９は、実施形態に係る第２アプリ部の構成例を示す図である。
【図１０】図１０は、実施形態に係る第２アプリ部によって表示されるリスト画面の一例を示す図である。
【図１１】図１１は、実施形態に係る第２アプリ部によって表示されるウェブページの一例を示す図である。
【図１２】図１２は、実施形態に係る第１アプリ部の構成例を示す図である。
【図１３】図１３は、実施形態に係る第１アプリ部によって表示されるウェブページの一例を示す図である。
【図１４】図１４は、実施形態に係る端末装置による情報処理の処理手順を示すシーケンス図である。
【図１５】図１５は、実施形態に係る端末装置による情報処理の処理手順を示すシーケンス図である。
【図１６】図１６は、実施形態に係る端末装置による情報処理の処理手順を示すシーケンス図である。
【図１７】図１７は、実施形態に係るロックアプリ部の他の構成例を示す図である。
【図１８】図１８は、第１アプリ部と第２アプリ部とを機能的に統合したアプリ部の構成例を示す図である。
【図１９】図１９は、端末装置の機能を実現するコンピュータの一例を示すハードウェア構成図である。
【発明を実施するための形態】
【００１０】
以下に、本願に係る端末装置、情報処理方法および情報処理プログラムを実施するための形態（以下、「実施形態」と呼ぶ）について図面を参照しつつ詳細に説明する。なお、この実施形態により本願に係る端末装置、情報処理方法および情報処理プログラムが限定されるものではない。また、以下の各実施形態において同一の部位には同一の符号を付し、重複する説明は省略される。
【００１１】
〔１．情報処理〕
まず、図１を用いて、実施形態に係る情報処理の一例について説明する。図１は、実施形態に係る情報処理の一例を示す説明図である。
【００１２】
図１に示すように、端末装置１０は、端末ロック機能を有する。端末ロック機能は、端末装置１０が有する複数のアプリケーションの起動を制限するロック状態を設定する機能である。
【００１３】
端末ロック機能が有効である場合において、端末装置１０が省電力状態から復帰した場合、通常であれば、ロック状態を示すロック画面が端末装置１０の表示部１３に表示される。しかし、従来技術では、省電力状態から復帰させる操作がユーザによってなされた後で、ロック画面を表示する処理が開始されるため、処理が完了するまでの間に、ホーム画面等の他の画面が表示されるおそれがあった。
【００１４】
そこで、端末装置１０は、省電力状態から通常状態へ復帰させる操作がなされるより前、具体的には、通常状態から省電力状態への移行要求を受け付けた場合に（ステップＳ０１）、ロック状態を設定し、ロック状態で待機することとした（ステップＳ０２）。
【００１５】
通常状態から省電力状態への移行要求とは、たとえば、表示部１３が消灯した旨の通知である。この通知は、たとえば、省電力状態へ移行させる操作がなされた場合や、端末装置１０が一定時間操作されなかった場合に出力される。
【００１６】
また、ロック状態で待機した状態とは、ユーザによるロック状態の解除操作を受け付けないロック状態のことである。
【００１７】
具体的には、端末装置１０は、省電力状態への移行要求を受け付けると、表示部１３にロック画面を表示させた状態で表示部１３を消灯する。また、端末装置１０は、この状態でロック解除操作がなされてもロック解除操作を受け付けず、表示部１３を消灯した状態を維持する。
【００１８】
つづいて、端末装置１０は、省電力状態からの復帰要求を受け付けると（Ｓ０３）、ロック状態で待機した状態を中断する。すなわち、端末装置１０は、ロック状態の解除操作を受け付け可能な状態へ移行する。そして、端末装置１０は、ロック状態の解除操作を受け付けた場合に、ロック状態を解除する。なお、ロック状態の解除操作とは、たとえば、ロック画面をスライドする操作や、パスコードなどの解除情報を入力する操作のことである。
【００１９】
このように、実施形態に係る情報処理では、省電力状態への移行要求を受け付けた場合に、ロック状態を設定し、省電力状態からの復帰要求を受け付けるまでの間、ユーザによるロック解除操作を受け付けずにロック状態を維持することとした。これにより、省電力状態からの復帰要求を受け付けた時点で、すでにロック状態となっているため、ホーム画面等の他の画面を表示させることなく、表示部１３にロック画面を表示させることができる。
【００２０】
したがって、本実施形態に係る情報処理によれば、省電力状態からの復帰時において、ロック画面が表示されるより前に他の画面が表示されることを抑制することができる。以下、このような情報処理を実現する端末装置１０について詳細に説明する。
【００２１】
〔２．端末装置１０の構成〕
図２は、実施形態に係る端末装置１０の構成例を示す図である。図２に示す端末装置１０は、通話機能を有するスマートフォンや携帯電話機などである。
【００２２】
ここで、端末装置１０には、ブラウザアプリケーションとして、第１アプリケーションおよび第２アプリケーションの２種類のアプリケーションがインストールされている。第１アプリケーションは、ロック解除状態においてユーザによって利用されるブラウザアプリケーションであり、たとえば、端末装置１０に標準でインストールされたものや、ユーザが任意にダウンロードしたものに該当する。一方、第２アプリケーションは、ロック状態において利用可能なブラウザアプリケーションであり、ロック状態を設定するロックアプリケーションと連携して動作する。
【００２３】
ロック状態が解除された状態（以下、「ロック解除状態」と呼ぶ）において、端末装置１０は、第１アプリケーションを起動する。第１アプリケーションが起動された状態において、端末装置１０は、端末装置１０が保有する情報（以下、「端末保有情報Ｘ」と呼ぶ）を用いてサーバ２０へアクセスする。端末保有情報Ｘは、たとえば、クッキー（cookie）やユーザＩＤ等の個人情報の他、端末装置１０を識別する端末識別情報や位置情報などである。
【００２４】
一方、ロック状態において、端末装置１０は、第２アプリケーションを起動する。第２アプリケーションが起動された状態において、端末装置１０は、前述の端末保有情報Ｘを用いずにサーバ２０へアクセスする。
【００２５】
なお、以下では、第１アプリケーションを「標準ブラウザ」、第２アプリケーションを「簡易ブラウザ」と呼ぶ場合がある。
【００２６】
図２に示すように、端末装置１０は、第１通信部１１と、入力部１２と、表示部１３と、位置情報取得部１４と、記憶部１５と、制御部１６と、第２通信部１７とを備える。第１通信部１１は、ネットワークＮ１に接続され、ネットワークＮ１を介してサーバ２０との間で通信を行う。また、第２通信部１７は、携帯電話通信網Ｎ２に接続され、携帯電話通信網Ｎ２を介して携帯電話基地局３０との間で通信を行う。なお、第１通信部１１および第２通信部１７は、ネットワークＮ１および携帯電話通信網Ｎ２との接続を無線で行う。
【００２７】
入力部１２は、ユーザから各種操作を受け付ける入力デバイスである。たとえば、入力部１２は、カーソルキーやテンキーなどを含むキーボード、電源ボタン、ホームボタン１２１（図５参照）、ユーザの発話を受け付けるマイク等によって実現される。なお、ホームボタン１２１は、ホーム画面へ遷移するためのボタンである。
【００２８】
表示部１３は、各種情報を表示するための表示デバイスである。表示部１３は、たとえば液晶ディスプレイであり、液晶パネル等の表示パネルと、バックライト等の光源とを備える。かかる表示部１３では、光源からの光が表示パネルに照射されることにより、表示パネルに表示された画像をユーザが視認可能となる。表示パネルおよび光源は、後述する主制御部１１０によって制御される。なお、端末装置１０にタッチパネルが採用される場合には、入力部１２の一部および表示部１３は一体化される。
【００２９】
位置情報取得部１４は、たとえばＧＰＳ（Global  Positioning  System）受信部であり、ＧＰＳ衛星から送出される電波を受信し、受信した電波に基づいて端末装置１０の現在位置を示す位置情報（例えば、緯度及び経度）を取得する。位置情報取得部１４は、取得した位置情報を記憶部１５に記憶する。なお、位置情報取得部１４は、設置位置が既知であるアクセスポイントにＷｉＦｉ（Wireless  Fidelity）により端末装置１０が接続している場合には、アクセスポイントの設置位置に基づいて位置情報を取得してもよい。
【００３０】
記憶部１５は、例えば、ＲＡＭ（Random  Access  Memory）、フラッシュメモリ（Flash  Memory）等の半導体メモリ素子等によって実現される。記憶部１５には、上述した端末識別情報や位置情報など、端末保有情報Ｘの一部が記憶される。
【００３１】
制御部１６は、ＣＰＵ（Central  Processing  Unit）やＭＰＵ（Micro  Processing  Unit）等によって、記憶部１５に記憶されているプログラムがＲＡＭを作業領域として実行されることにより実現される。また、制御部１６は、例えば、ＡＳＩＣ（Application  Specific  Integrated  Circuit）やＦＰＧＡ（Field  Programmable  Gate  Array）等の集積回路により実現される。
【００３２】
かかる制御部１６は、主制御部１１０と、通話制御部１１５と、音声認識部１２０と、ロックアプリ部１３０と、第２アプリ部１４０と、アプリ部群１５０とを有し、以下に説明する情報処理の機能や作用を実現または実行する。なお、制御部１６の内部構成は、図２に示した構成に限られず、後述する情報処理を行う構成であれば他の構成であってもよい。
【００３３】
なお、端末装置１０が有する２種類のブラウザアプリケーションのうち第１アプリケーション（標準ブラウザ）が制御部１６によって実行されることにより、アプリ部群１５０に含まれる第１アプリ部１６０が実現される。また、第２アプリケーション（簡易ブラウザ）が制御部１６によって実行されることにより、第２アプリ部１４０が実現される。
【００３４】
（主制御部１１０について）
主制御部１１０は、たとえば記憶部１５に記憶されているＯＳ（Operating  System）が制御部１６によって実行されることにより実現される。主制御部１１０は、たとえば、ロック解除状態においてホームボタン１２１（図１参照）が押下された場合に、現在の表示画面からホーム画面に戻る処理を行う。
【００３５】
また、主制御部１１０は、入力部１２により各種操作が受け付けられた場合、省電力状態へ移行（または省電力状態から復帰）した場合、端末装置１０が再起動した場合など様々なイベントが発生した場合に、イベントの発生を予め登録されたアプリ部へ通知する処理も行う。
【００３６】
たとえば、主制御部１１０は、端末装置１０を省電力状態へ移行させる操作（たとえば、通常状態において電源ボタンを押す操作）がなされた場合に、省電力状態への移行要求をロックアプリ部１３０を含む複数のアプリ部へ出力する。また、主制御部１１０は、端末装置１０を通常状態へ復帰させる操作（たとえば、省電力状態において電源ボタンを押す操作）がなされた場合に、省電力状態からの復帰要求をロックアプリ部１３０を含む複数のアプリ部へ出力する。
【００３７】
また、主制御部１１０は、端末装置１０を省電力状態へ移行させる操作がなされた場合に、たとえば光源への通電を停止することによって表示部１３を消灯する処理を行う。これにより、表示部１３は暗状態となる。また、主制御部１１０は、端末装置１０を通常状態へ復帰させる操作がなされた場合に、たとえば光源への通電を再開することによって表示部１３を点灯する処理を行う。
【００３８】
その他、主制御部１１０は、入力部１２により所定のアプリケーションの起動指示が受け付けられた場合に、該当するアプリケーションを起動する処理等も行う。
【００３９】
（通話制御部１１５について）
通話制御部１１５は、発呼や着呼のほか図示しない受話用スピーカや送話用マイクロホンなどの制御を行う。また、通話制御部１１５は、着信があった旨をユーザに通知する着信通知処理を行う。具体的には、通話制御部１１５は、着信を受けた場合に、表示部１３に着信画面を表示させる。
【００４０】
（音声認識部１２０について）
音声認識部１２０は、記憶部１５に記憶されている音声認識アプリケーションが制御部１６によって実行されることにより実現される。音声認識部１２０は、入力部１２により受け付けられたユーザの発話をテキストデータに変換する処理を行う。この処理は、たとえば、ユーザの発話の音声データを音声認識サーバへ送信し、音声認識サーバによって音声データから変換されたテキストデータを音声認識サーバから受信することによって実現される。
【００４１】
また、音声認識部１２０は、ユーザの発話から変換されたテキストデータをロックアプリ部１３０へ渡す処理も行う。
【００４２】
（ロックアプリ部１３０について）
ロックアプリ部１３０は、記憶部１５に記憶されているロックプログラム（情報処理プログラムの一例に相当）が制御部１６によって実行されることにより実現される。ここで、ロックアプリ部１３０の構成例について図３を参照して説明する。図３は、実施形態に係るロックアプリ部１３０の構成例を示す図である。
【００４３】
図３に示すように、ロックアプリ部１３０は、設定部１３１と、起動要求受付部１３２と、起動部１３３と、遷移要求受付部１３４と、解除情報受付部１３５と、遷移部１３６と、記憶部１３７と、移行要求受付部１３８と、復帰要求受付部１３９とを備える。
【００４４】
（記憶部１３７について）
記憶部１３７は、ＵＲＬ情報１３７ａと、解除情報１３７ｂとを記憶する。ＵＲＬ情報１３７ａは、ＵＲＬ（Uniform  Resource  Locator）を示す情報である。このＵＲＬ情報１３７ａは、後述する第２アプリ部１４０から送信される。解除情報１３７ｂは、ロック状態の解除に用いられる情報である。たとえば、解除情報１３７ｂは、４桁で表される文字列の情報（たとえばパスコード）である。
【００４５】
（移行要求受付部１３８について）
移行要求受付部１３８は、省電力状態への移行要求を主制御部１１０から受け付ける。また、移行要求受付部１３８は、省電力状態への移行要求を受け付けた場合に、設定部１３１に対して、ロック状態の設定要求を出力する。
【００４６】
（設定部１３１について）
設定部１３１は、移行要求受付部１３８からロック状態の設定要求を取得した場合に、後述する第１アプリ部１６０を含む複数のアプリ部（アプリ部群１５０）の起動を制限するロック状態を設定する。
【００４７】
その後、設定部１３１は、省電力状態からの復帰要求を受け付けるまで、ロック状態で待機する。ここで、「ロック状態で待機」した状態とは、ロック状態の解除に用いられる解除情報の入力を受け付けない状態、すなわち、ロック解除操作を受け付けない状態のことである。つまり、ロックアプリ部１３０は、ロック状態で待機した状態において、ユーザによってロック解除操作がなされたとしても、この操作を受け付けない。なお、端末装置１０にタッチパネルが採用される場合、設定部１３１は、ロック解除操作だけでなく、タッチパネルへの操作の全てを受け付けない。
【００４８】
また、設定部１３１は、ロック状態またはロック状態で待機した状態において、ホーム画面への移動を制限する。たとえば、設定部１３１は、ユーザによってホームボタン１２１が押下されても、この操作を受け付けない。これにより、アプリ部群１５０に含まれる第１アプリ部１６０をはじめとする各種アプリ部の起動が制限される。
【００４９】
なお、ロックアプリケーションは、端末装置１０に常駐する常駐プログラムである。したがって、ロックアプリ部１３０は、端末装置１０が省電力状態へ移行した後も動作し続けることができる。
【００５０】
ここで、設定部１３１の構成例について図４を参照して説明する。図４は、実施形態に係る設定部１３１の構成例を示す図である。図４に示すように、設定部１３１は、ロック画面生成部１３１ａと、消灯部１３１ｂと、停止抑制部１３１ｃとを備える。
【００５１】
（ロック画面生成部１３１ａについて）
ロック画面生成部１３１ａは、移行要求受付部１３８からロック状態の設定要求を受けた場合に、ロック画面を生成する。図５は、実施形態に係るロックアプリ部１３０によって表示されるロック画面の一例を示す図である。図５に示すように、ロック画面Ｐ２は、たとえば、現在の時刻を示すテキストＭ１と、錠前のアイコンＭ２とを含んだ画像である。ロック画面生成部１３１ａは、たとえばユーザによって任意に選択された背景画像に、上記のテキストＭ１およびアイコンＭ２を重畳させることによってロック画面Ｐ２を生成する。
【００５２】
また、ロック画面生成部１３１ａは、生成したロック画面Ｐ２の画像データを主制御部１１０へ出力する処理も行う。主制御部１１０は、ロック画面生成部１３１ａからロック画面Ｐ２の画像データを取得すると、ロック画面Ｐ２を表示部１３に表示する処理を行う。
【００５３】
ここで、ロック画面生成部１３１ａは、前述の通話制御部１１５が着信通知処理において使用する表示レイヤと同一の表示レイヤを指定して、ロック画面Ｐ２の画像データを主制御部１１０へ出力する。図６は、表示レイヤの一例を示す図である。
【００５４】
図６に示すように、表示部１３に表示される画像は、複数の表示レイヤＬ１〜Ｌ４で構成される。表示レイヤＬ１〜Ｌ４のうち、表示レイヤＬ１が最下層の表示レイヤであり、かかる表示レイヤＬ１上に表示レイヤＬ２が積層され、表示レイヤＬ２上に表示レイヤＬ３が積層され、表示レイヤＬ３上に表示レイヤＬ４が積層される。
【００５５】
ブラウザアプリケーションやメモアプリケーション等などのアプリケーションは、通常、最下層の表示レイヤＬ１を使用する。一方、通話制御部１１５は、着信通知処理において、着信画面を表示レイヤＬ１よりも上層の表示レイヤＬ２に表示させる。これにより、たとえばブラウザアプリケーションの起動中に着信があった場合に、ブラウザアプリケーションによって表示される画面よりも前面に着信画面を表示させることができる。
【００５６】
ロック画面生成部１３１ａは、かかる表示レイヤＬ２にロック画面Ｐ２を表示させる。すなわち、ロック画面生成部１３１ａは、他のアプリケーションが使用する表示レイヤＬ１よりも上層の表示レイヤＬ２にロック画面Ｐ２を表示させる。これにより、ロック画面Ｐ２を他のアプリケーションによって表示される画面よりも前面に表示させることができる。
【００５７】
（消灯部１３１ｂ）について
消灯部１３１ｂは、ロック画面生成部１３１ａによってロック画面Ｐ２が生成された場合に、主制御部１１０に対し、表示部１３の消灯要求を出力する。
【００５８】
ロック画面Ｐ２の画像データを取得した主制御部１１０は、ロック画面Ｐ２を表示部１３に表示させる処理を行う。すなわち、主制御部１１０は、表示パネルにロック画面Ｐ２を表示させ、光源を点灯させる処理を行う。この結果、ユーザが端末装置１０を省電力状態へ移行させようとしたにもかかわらず、表示部１３が暗状態とならずにロック画面Ｐ２が表示される事態が生じるおそれがある。
【００５９】
そこで、消灯部１３１ｂは、主制御部１１０に対して表示部１３の消灯要求、具体的には、表示部１３が備える光源の発光を停止させる要求を主制御部１１０に出力する。これにより、上記のような事態が生じることを防止することができる。
【００６０】
なお、上述したように、設定部１３１は、ロック状態を設定すると、省電力状態からの復帰要求を受け付けるまで、ユーザによるロック解除操作を受け付けない。したがって、省電力状態からの復帰要求を受け付けるまで、表示部１３の暗状態は維持される。
【００６１】
このように、設定部１３１は、省電力状態への移行要求が受け付けられた場合に、ロック状態を示すロック画面Ｐ２を表示部１３へ表示させた状態で表示部１３を消灯する。そして、設定部１３１は、省電力状態からの復帰要求を受け付けるまでの間、ロック状態で待機する、すなわち、ユーザによるロック解除操作を受け付けずにロック状態を維持することとした。これにより、端末装置１０を適切に省電力状態へ移行させつつ、省電力状態からの復帰時において、ロック画面が表示されるより前に他の画面が表示されることを抑制することができる。
【００６２】
（停止抑制部１３１ｃ）
停止抑制部１３１ｃは、ロック状態で待機した状態において、表示部１３への表示処理を繰り返す。
【００６３】
主制御部１１０は、所定の条件を満たした場合に、アプリケーションを停止することがある。たとえば、主制御部１１０は、アプリケーションがバックグラウンドにおいて起動している状態で、所定の期間継続して何らかの出力がない場合に、かかるアプリケーションを停止する場合がある。
【００６４】
そこで、停止抑制部１３１ｃは、主制御部１１０によってアプリケーションが停止されないよう、表示部１３への表示処理を所定の間隔で繰り返す。たとえば、停止抑制部１３１ｃは、所定の画像を生成してロック画面Ｐ２に重畳させる処理を所定の間隔で繰り返す。これにより、停止抑制部１３１ｃは、ロックアプリ部１３０が主制御部１１０によって停止されることを抑制することができる。
【００６５】
ここで、停止抑制部１３１ｃは、所定の画像として、たとえば１ドットの画像を生成してもよい。これにより、表示処理を繰り返すことによる消費電力の増加を抑えることができる。また、停止抑制部１３１ｃは、所定の画像をロック画面Ｐ２の画面端などの目立たない場所に重畳させてもよい。これにより、省電力状態から復帰し、ロック画面Ｐ２が表示部１３に表示された状態となったときに、ユーザに違和感を与えにくくすることができる。
【００６６】
なお、アプリケーションの起動を停止する機能が発動するまでの期間が既知である場合、停止抑制部１３１ｃは、この期間よりも短い所定の間隔で描画処理を繰り返してもよい。
【００６７】
ところで、ここでは、停止抑制部１３１ｃが、表示処理を繰り返すことで、ロックアプリ部１３０の停止を抑制する場合を例示したが、ロックアプリ部１３０の停止を抑制する方法は、本例に限定されない。
【００６８】
たとえば、停止抑制部１３１ｃは、ロックアプリ部１３０が停止したことを検知した場合に、ロックアプリ部１３０を再起動するようにしてもよい。これによっても、ロックアプリ部１３０の停止を抑制することができる。
【００６９】
また、停止抑制部１３１ｃは、電波の変化を示す通知など、ロックアプリ部１３０の機能に直接的には関与しない通知を主制御部１１０から受け取るようにし、かかる通知を受け取った場合に、ロックアプリ部１３０を再起動するようにしてもよい。これによっても、ロックアプリ部１３０の停止を抑制することができる。
【００７０】
また、停止抑制部１３１ｃは、アラームアプリケーションに使用される通知を受け取るようにしてもよい。この通知は、アプリケーションを将来のある時点で起動させる通知である。したがって、この通知を繰り返し受け取るようにすれば、主制御部１１０によってロックアプリ部１３０が停止されたとしても、この通知によってロックアプリ部１３０を起動させることができるため、ロックアプリ部１３０の停止を抑制することができる。
【００７１】
このように、停止抑制部１３１ｃは、端末装置１０が省電力状態へ移行した後、所定の処理を繰り返したり、主制御部１１０から送られる通知を用いてロックアプリ部１３０を再起動させたりすることにより、ロックアプリ部１３０の停止を抑制することができる。
【００７２】
（復帰要求受付部１３９について）
図３に戻り、復帰要求受付部１３９について説明する。復帰要求受付部１３９は、省電力状態からの復帰要求を主制御部１１０から受け付ける。また、復帰要求受付部１３９は、省電力状態からの復帰要求を受け付けた場合に、復帰要求を受け付けた旨の通知を起動要求受付部１３２および解除情報受付部１３５に出力する。
【００７３】
（起動要求受付部１３２について）
起動要求受付部１３２は、復帰要求を受け付けた旨の通知を復帰要求受付部１３９から取得した場合に、第２アプリケーションの起動要求を受け付ける。たとえば、起動要求受付部１３２は、表示部１３にロック画面Ｐ２が表示された状態で、特定の操作（たとえばロック画面Ｐ２の長押し操作）が行われると、表示部１３に音声入力画面を表示する。また、起動要求受付部１３２は、音声認識部１２０を起動することにより、端末装置１０がユーザの発話を受け付け可能な状態とする。
【００７４】
図７は、実施形態に係るロックアプリ部１３０によって表示される音声入力画面の一例を示す図である。図７に示すように、音声入力画面Ｐ４は、たとえば、発話を促す「お話しください」というテキストＭ３と、マイクのアイコンＭ４とを含んだ画像である。
【００７５】
また、起動要求受付部１３２は、ユーザの発話から変換されたテキストデータを音声認識部１２０から取得すると、取得したテキストデータを起動部１３３へ渡す処理も行う。
【００７６】
なお、ここでは、音声認識部１２０を用いてテキストデータを取得する場合を例示したが、テキストデータの取得方法は、この例に限定されない。たとえば、起動要求受付部１３２は、ロック画面Ｐ２において特定の操作がなされた場合に、表示部１３にキーボードを表示させて、ユーザによるテキストデータの入力を受け付けるようにしてもよい。
【００７７】
（起動部１３３について）
起動部１３３は、第２アプリ部１４０の起動処理を行う。具体的には、起動部１３３は、起動要求受付部１３２からテキストデータを取得した場合に、第２アプリ部１４０に対し、取得したテキストデータと、ロック画面Ｐ２の画像データと、起動指示とを出力する。なお、テキストデータ、ロック画面Ｐ２の画像データおよび起動指示は、起動部１３３から主制御部１１０を介して第２アプリ部１４０へ出力されてもよい。
【００７８】
なお、ここでは、起動部１３３が、起動要求受付部１３２からテキストデータを取得したことを条件として第２アプリ部１４０を起動する場合を例示したが、第２アプリ部１４０の起動条件は、この例に限定されない。たとえば、設定部１３１が、ロック画面Ｐ２に第２アプリケーションに対応するアイコンを表示させ、起動要求受付部１３２が、かかるアイコンへのタッチ操作を受け付ける。そして、起動部１３３が、第２アプリケーションに対応するアイコンが押下された旨の通知を起動要求受付部１３２または主制御部１１０から受けた場合に、第２アプリ部１４０を起動してもよい。
【００７９】
ここで、ロックアプリ部１３０の起動部１３３は、端末装置１０に内蔵された充電池の残容量に応じて第２アプリ部１４０の起動を制限してもよい。具体的には、端末装置１０に内蔵された充電池の残容量を示す残容量情報を主制御部１１０から取得し、取得した残容量情報により示される残容量が閾値を下回っている場合には、第２アプリ部１４０に対する起動指示の出力を禁止するようにしてもよい。
【００８０】
たとえばユーザが端末装置１０を紛失した場合、ユーザ以外の者が第２アプリ部１４０を利用することで、充電池の残容量が減少し、ＧＰＳを利用した端末装置１０の追跡等を行うことが困難となってしまうおそれがある。これに対し、充電池の残容量が閾値を下回った場合に、第２アプリ部１４０に対する起動指示の出力を禁止することとすれば、上記のような事態を防止することができる。
【００８１】
また、起動部１３３は、ロック状態が設定されてから解除されるまでの期間における第２アプリ部１４０の総起動時間を計測し、計測した総起動時間が閾値を超えた場合に、第２アプリ部１４０に対する起動指示の出力を禁止してもよい。
【００８２】
ロック状態が解除されることなく、第２アプリ部１４０が長時間利用されている場合、端末装置１０は、ユーザ以外の者により無断で使用されている可能性がある。そこで、たとえば、ロック状態が維持されている状態で第２アプリ部１４０の総起動時間が閾値を超えた場合に、第２アプリ部１４０に対する起動指示の出力を禁止することとすれば、ユーザ以外の者による端末装置１０の無断使用を防止することができる。
【００８３】
なお、起動部１３３は、第２アプリ部１４０の総起動時間が閾値を超えた場合に、第２アプリ部１４０によって表示されるリスト画面Ｐ３（図１０参照）やウェブページ画面Ｐ６（図１１参照）からロック画面Ｐ２に強制的に移動させてもよい。
【００８４】
（遷移要求受付部１３４について）
遷移要求受付部１３４は、第２アプリ部１４０が起動された状態において、第２アプリ部１４０から第１アプリ部１６０への遷移要求を受け付ける。具体的には、遷移要求受付部１３４は、後述する遷移ボタンＢ１（図１０参照）がユーザによって押下された場合に第２アプリ部１４０から出力される遷移要求を受け付ける。遷移要求受付部１３４は、遷移要求を受け付けると、ロック状態の解除要求を解除情報受付部１３５に出力する。
【００８５】
また、遷移要求受付部１３４は、上記の通知とともに、ＵＲＬ情報１３７ａを第２アプリ部１４０から取得して記憶部１３７に記憶する処理も行う。
【００８６】
（解除情報受付部１３５について）
解除情報受付部１３５は、復帰要求を受け付けた旨の通知を復帰要求受付部１３９から取得した場合に、ロック状態で待機した状態を中断する。すなわち、ロック状態の解除操作を受け付け可能な状態とする。その後、たとえば、ロック画面Ｐ２中のアイコンＭ２（図５参照）を押下する操作等がユーザによってなされた場合に、解除情報受付部１３５は、表示部１３に解除情報入力画面を表示して、ユーザによる解除情報の入力を受け付ける。
【００８７】
図８は、実施形態に係るロックアプリ部１３０によって表示される解除情報入力画面の一例を示す図である。図８に示すように、解除情報入力画面Ｐ５は、たとえば、テンキーＭ５と、選択された数字が表示される表示欄Ｍ６とを含んだ画像である。
【００８８】
解除情報受付部１３５は、かかる解除情報入力画面Ｐ５において入力された情報と、記憶部１３７に記憶された解除情報１３７ｂとが一致した場合に、第１アプリ部１６０への遷移要求を遷移部１３６に出力する。
【００８９】
また、解除情報受付部１３５は、ロック状態の解除要求を遷移要求受付部１３４から取得した場合にも、上述した解除情報入力画面Ｐ５を表示部１３に表示して、ユーザによる解除情報の入力を受け付ける。
【００９０】
なお、解除情報受付部１３５は、上述した第２アプリ部１４０の総起動時間を計測し、計測した総起動時間が閾値を超えた場合に、表示部１３に解除情報入力画面Ｐ５を表示して、ユーザによる解除情報の入力を受け付けてもよい。これにより、ユーザ以外の者による端末装置１０の無断使用を防止することができる。
【００９１】
また、解除情報受付部１３５は、第２アプリ部１４０の総起動時間が閾値を超えた場合に、第２アプリ部１４０によって表示されるリスト画面Ｐ３（図１０参照）やウェブページ画面Ｐ６（図１１参照）から解除情報入力画面Ｐ５に強制的に移動させてもよい。
【００９２】
（遷移部１３６について）
遷移部１３６は、解除情報受付部１３５によって解除情報の入力が受け付けられた場合に、ロック状態を解除して第１アプリ部１６０を起動する。具体的には、遷移部１３６は、解除情報受付部１３５から遷移要求を取得すると、まず、設定部１３１によって設定されたロック状態を解除する。たとえば、遷移部１３６は、表示部１３へのロック画面Ｐ２の表示を停止し、ロックアプリ部１３０をバックグラウンドで起動している状態に移行させることにより、ホーム画面への移動が可能な状態とする。これにより、アプリ部群１５０に含まれる第１アプリ部１６０をはじめとする各種アプリ部を起動させることが可能な状態となる。
【００９３】
その後、遷移部１３６は、第１アプリ部１６０に対し、起動指示と、記憶部１３７に記憶されたＵＲＬ情報１３７ａとを出力する。これにより、第１アプリ部１６０は起動して、ＵＲＬ情報１３７ａに対応するウェブページをサーバ２０から取得する処理を行う。なお、ＵＲＬ情報１３７ａおよび起動指示は、主制御部１１０を介して第１アプリ部１６０へ出力されてもよい。
【００９４】
また、遷移部１３６は、ロック状態を解除すると、第２アプリ部１４０に対し、後述する第２アプリ部１４０の記憶部１４５（図９参照）に記憶された各種の情報を削除すべき旨の削除要求を出力する。削除要求を取得した第２アプリ部１４０は、記憶部１４５に記憶されたクッキー情報や履歴情報等を削除する。
【００９５】
（第２アプリ部１４０について）
図２に戻り、第２アプリ部１４０について説明する。第２アプリ部１４０は、たとえば記憶部１５に記憶されている第２アプリケーション（簡易ブラウザ）が制御部１６によって実行されることにより実現される。かかる第２アプリ部１４０は、ロックアプリ部１３０から出力される起動指示に従って起動する。
【００９６】
ここで、第２アプリ部１４０の構成例について図９を用いて説明する。図９は、実施形態に係る第２アプリ部１４０の構成例を示す図である。
【００９７】
図９に示すように、第２アプリ部１４０は、アクセス処理部１４１と、表示処理部１４２と、遷移要求通知部１４３と、消去部１４４と、記憶部１４５とを備える。
【００９８】
（記憶部１４５について）
記憶部１４５は、上述したＵＲＬ情報１３７ａ、クッキー情報１４５ａおよび履歴情報１４５ｂ等を記憶する。クッキー情報１４５ａは、第２アプリ部１４０によって取得されたクッキーを示す情報である。履歴情報１４５ｂは、第２アプリ部１４０を用いて過去に閲覧されたウェブページのＵＲＬやキャッシュデータなどを含む情報である。その他、記憶部１４５には、ログイン情報やフォームデータ等が記憶されてもよい。
【００９９】
（アクセス処理部１４１について）
アクセス処理部１４１は、サーバ２０へのアクセスを行う。具体的には、アクセス処理部１４１は、ユーザの発話から変換されたテキストデータをロックアプリ部１３０の起動部１３３から取得した場合に、取得したテキストデータを検索キーワードとする検索要求をサーバ２０へ送信する処理を行う。たとえば、音声入力画面Ｐ４（図７参照）が表示された状態においてユーザが「ろっぽんぎ」と発話した場合、アクセス処理部１４１は、「六本木」を検索キーワードとする検索要求をサーバ２０へ送信し、サーバ２０から「六本木」に対応する検索結果を受信する。なお、この検索結果には、各リンク先のウェブページを指定するＵＲＬが含まれる。
【０１００】
また、アクセス処理部１４１は、検索結果のリストの中からリンク先を選択する操作がユーザによってなされた場合に、選択されたリンク先のＵＲＬを含むページリクエストをサーバ２０に対して送信して、該当するウェブページをサーバ２０から受信する。
【０１０１】
このように、第２アプリ部１４０は、ロック状態において、サーバ２０へアクセスして検索結果やウェブページを取得することができる。すなわち、ユーザは、ロック解除の操作を行うことなくウェブ検索やウェブページの閲覧を行うことができる。したがって、たとえば、わざわざロック解除の操作を行ってまで検索するほどではない弱い動機の検索であっても、気軽に検索を行わせることができる。
【０１０２】
また、アクセス処理部１４１は、上述したサーバ２０へのアクセスを、後述する第１アプリ部１６０が記憶するクッキー情報や履歴情報等あるいは記憶部１５に記憶された端末識別情報や位置情報等を含む端末保有情報Ｘを用いずにサーバ２０へのアクセスを行う。
【０１０３】
したがって、仮に、ロック状態において端末装置１０のユーザ以外の者が第２アプリ部１４０を利用したとしても、端末保有情報Ｘの漏洩を抑制することができる。
【０１０４】
また、アクセス処理部１４１は、サーバ２０から受信したウェブページのＵＲＬをＵＲＬ情報１３７ａとして記憶部１４５に記憶する。このとき、アクセス処理部１４１は、サーバ２０からウェブページを受信する毎にＵＲＬ情報１３７ａを更新する。したがって、記憶部１４５には、最新のＵＲＬ情報１３７ａが記憶される。なお、アクセス処理部１４１は、ＵＲＬ情報１３７ａの他、クッキー情報１４５ａや履歴情報１４５ｂ等を記憶部１４５に記憶する処理も行う。なお、アクセス処理部１４１は、ユーザの設定によって、クッキー情報１４５ａ、履歴情報１４５ｂ等を記憶部１４５に記憶しないこともできる。
【０１０５】
また、アクセス処理部１４１は、サーバ２０から受信した検索結果やウェブページを表示処理部１４２へ渡す処理を行う。また、アクセス処理部１４１は、ロックアプリ部１３０の起動部１３３からロック画面Ｐ２の画像データを取得し、取得したロック画面Ｐ２の画像データを表示処理部１４２へ渡す処理も行う。
【０１０６】
（表示処理部１４２について）
表示処理部１４２は、ロック画面Ｐ２の画像データと検索結果とをアクセス処理部１４１から取得した場合に、これらの情報を用いて検索結果のリスト画面を生成して表示部１３に表示する。
【０１０７】
図１０は、実施形態に係る第２アプリ部１４０によって表示されるリスト画面の一例を示す図である。図１０に示すように、リスト画面Ｐ３は、たとえば、検索キーワードやＵＲＬ等が表示される表示欄Ｍ７と、検索結果のリストＭ８と、遷移ボタンＢ１とを含んだ画像である。遷移ボタンＢ１は、第２アプリ部１４０（簡易ブラウザ）から第１アプリ部１６０（標準ブラウザ）へ遷移する場合に、ユーザによって押下されるボタンである。
【０１０８】
また、リスト画面Ｐ３は、透過性を有しており、ロック画面Ｐ２上に重ねて表示部１３に表示される。これにより、図１０に示すように、ロック画面Ｐ２に含まれるテキストＭ１やアイコンＭ２がリスト画面Ｐ３を介して見える状態になる。
【０１０９】
このように、表示処理部１４２は、透過性を有するリスト画面Ｐ３を生成し、表示部１３に表示する。これにより、第２アプリ部１４０によるウェブ検索がロック状態で行われていることをユーザに認識させることができる。なお、表示処理部１４２は、ユーザの操作が受け付けられていない状態でのリスト画面Ｐ３の透過率を、ユーザの操作が受け付けられている状態でのリスト画面Ｐ３の透過率と比べて低くしてもよい。ユーザの操作が受け付けられていない場合、ユーザがリストＭ８（図１０参照）を閲覧している状態である可能性が高い。このため、かかる状態でのリスト画面Ｐ３の透過率を低くする、言い換えれば、ロック画面Ｐ２を見えにくくすることで、リストＭ８の視認性を高めることができる。
【０１１０】
また、表示処理部１４２は、アクセス処理部１４１から取得したウェブページを表示部１３に表示する処理も行う。
【０１１１】
図１１は、実施形態に係る第２アプリ部１４０によって表示されるウェブページ画面の一例を示す図である。図１１に示すように、ウェブページ画面Ｐ６は、たとえば、ウェブページＭ９と、上述した表示欄Ｍ７および遷移ボタンＢ１とを含んだ画像である。
【０１１２】
上述したように、第２アプリ部１４０は、端末保有情報Ｘを用いずにサーバ２０へのアクセスを行う。このため、たとえば図１１に示す「サイトＡ」において、端末保有情報Ｘと関連づけてユーザ名「タロー」が登録されていたとしても、第２アプリ部１４０によって表示されるウェブページ画面Ｐ６には、上記ユーザ名は表示されず「ゲスト様」などと表示される。同様に、購入履歴や閲覧履歴などが端末保有情報Ｘと関連づけて登録されていたとしても、第２アプリ部１４０によって表示されるウェブページ画面Ｐ６にこれらの情報が表示されることはない。したがって、端末保有情報Ｘの漏洩を抑制することができる。
【０１１３】
（遷移要求通知部１４３について）
遷移要求通知部１４３は、リスト画面Ｐ３（図１０参照）またはウェブページ画面Ｐ６（図１１参照）に含まれる遷移ボタンＢ１がユーザによって押下された場合に、ロックアプリ部１３０に対して遷移要求を出力する。また、遷移要求通知部１４３は、遷移要求と合わせて、記憶部１４５に記憶されたＵＲＬ情報１３７ａをロックアプリ部１３０に出力する処理も行う。
【０１１４】
（消去部１４４について）
消去部１４４は、記憶部１４５に記憶された情報を消去する。具体的には、消去部１４４は、遷移部１３６から消去要求を取得した場合、すなわち、ロック状態が解除された場合に、記憶部１４５に記憶された情報をＵＲＬ情報１３７ａ、クッキー情報１４５ａ、履歴情報１４５ｂ等を消去する。これにより、前述のアクセス処理部１４１は、第２アプリ部１４０が起動してから最初にサーバ２０へのアクセスを行う場合には、クッキー情報や履歴情報を用いることなくサーバ２０へのアクセスを行うこととなる。
【０１１５】
このように、記憶部１４５に記憶された情報を削除することで、第２アプリ部１４０にクッキー情報や履歴情報等が蓄積されることを防止することができる。
【０１１６】
（アプリ部群１５０について）
図２に戻り、アプリ部群１５０について説明する。アプリ部群１５０は、ロック状態において起動が制限されるアプリ部群である。アプリ部群１５０には、第１アプリ部１６０の他、たとえばメモアプリ部１７０やゲームアプリ部１８０等が含まれる。
【０１１７】
（第１アプリ部１６０について）
第１アプリ部１６０は、たとえば記憶部１５に記憶されている第１アプリケーション（標準ブラウザ）が制御部１６によって実行されることにより実現される。かかる第１アプリ部１６０は、ロック解除状態においてユーザによって第１アプリ部１６０のアイコンが選択された場合に起動される他、前述のロックアプリ部１３０から出力される起動指示に従って起動される。
【０１１８】
ここで、第１アプリ部１６０の構成例について図１２を用いて説明する。図１２は、実施形態に係る第１アプリ部１６０の構成例を示す図である。図１２に示すように、第１アプリ部１６０は、アクセス処理部１６１と、表示処理部１６２と、記憶部１６３とを備える。
【０１１９】
（記憶部１６３について）
記憶部１６３は、クッキー情報１６３ａおよび履歴情報１６３ｂ等を記憶する。クッキー情報１６３ａは、第１アプリ部１６０によって取得されたクッキーを示す情報である。履歴情報１６３ｂは、第１アプリ部１６０を用いて過去に閲覧されたウェブページのＵＲＬやキャッシュデータなどを含む情報である。その他、記憶部１６３には、ログイン情報やフォームデータ等が記憶されてもよい。
【０１２０】
（アクセス処理部１６１について）
アクセス処理部１６１は、サーバ２０へのアクセスを行う。具体的には、アクセス処理部１６１は、ロックアプリ部１３０から取得したＵＲＬ情報１３７ａを含むページリクエストをサーバ２０に対して送信し、該当するウェブページをサーバ２０から受信する。
【０１２１】
ここで、アクセス処理部１６１は、上述したサーバ２０へのアクセスを、記憶部１６３に記憶されたクッキー情報１６３ａや履歴情報１６３ｂ等あるいは記憶部１５に記憶された端末識別情報１５ａや位置情報１５ｂ等を含む端末保有情報Ｘを用いて行う。そして、アクセス処理部１６１は、サーバ２０から取得したウェブページを表示処理部１６２へ渡す。
【０１２２】
（表示処理部１６２について）
また、表示処理部１６２は、アクセス処理部１６１から取得したウェブページを表示部１３に表示する処理を行う。
【０１２３】
図１３は、実施形態に係る第１アプリ部１６０によって表示されるウェブページの一例を示す図である。図１３に示すように、ウェブページ画面Ｐ１は、たとえば、ＵＲＬが表示される表示欄Ｍ１０と、ウェブページＭ１１を含んだ画像である。なお、第１アプリ部１６０によって表示されるウェブページ画面Ｐ１は、第２アプリ部１４０によって表示されるウェブページ画面Ｐ６（図１１参照）と異なり、遷移ボタンＢ１を含まない。
【０１２４】
上述したように、第１アプリ部１６０は、端末保有情報Ｘを用いてサーバ２０へのアクセスを行う。このため、たとえば図１１に示す「サイトＡ」において、端末保有情報Ｘと関連づけてユーザ名「タロー」が登録されている場合、ウェブページ画面Ｐ１には、上記ユーザ名が表示される。同様に、購入履歴や閲覧履歴などが端末保有情報Ｘと関連づけて登録されている場合、ウェブページ画面Ｐ１にこれらの情報が表示される。
【０１２５】
また、記憶部１６３には、端末保有情報Ｘとしてブックマーク情報も含まれる。このため、たとえば、第２アプリ部１４０を用いてロック状態のままでウェブ検索を行いつつ、ブックマーク登録したいリンク先が見付かった場合に、遷移ボタンＢ１の押下およびロック解除操作を行って第１アプリ部１６０へ遷移するといった利用方法も考えられる。
【０１２６】
（サーバ−２０について）
図２に戻り、サーバ２０について説明する。サーバ２０は、ウェブサーバであり、複数のウェブページを記憶する。かかるサーバ２０は、端末装置１０から送信された検索要求やページリクエストを受け付けた場合に、受け付けた検索要求やページリクエストに応じた検索結果やウェブページを端末装置１０へ送信する。
【０１２７】
〔３．情報処理のフロー〕
次に、図１４〜図１６を用いて、端末装置１０が実行する情報処理の処理手順について説明する。図１４〜図１６は、実施形態に係る端末装置１０による情報処理の処理手順を示すシーケンス図である。
【０１２８】
まず、図１４を用いて、ロック画面Ｐ２の設定処理の処理手順について説明する。図１４に示すように、主制御部１１０は、端末装置１０を省電力状態へ移行させる操作がユーザによってなされると、ロックアプリ部１３０に対し、省電力状態への移行要求を出力する（ステップＳ２０１）。
【０１２９】
つづいて、ロックアプリ部１３０は、主制御部１１０から省電力状態への移行要求を取得すると、ロック画面Ｐ２を生成し、生成したロック画面Ｐ２の画像データを主制御部１１０へ出力する（ステップＳ２０２）。これにより、表示部１３の表示パネルにロック画面Ｐ２が表示される。また、ロックアプリ部１３０は、主制御部１１０に対し、ロックアプリ部１３０の消灯要求を出力する（ステップＳ２０３）。これにより、表示部１３は暗状態となる。また、ロックアプリ部１３０は、省電力状態からの復帰要求を受け付けるまでの間、ロック状態で待機する、すなわち、ユーザによるロック解除操作を受け付けずにロック状態を維持する。
【０１３０】
このように、ロックアプリ部１３０は、省電力状態への移行要求を受け付けた場合に、ロック状態を設定し、省電力状態からの復帰要求を受け付けるまでの間、ロック状態で待機することとした。したがって、ロックアプリ部１３０によれば、省電力状態からの復帰時において、ロック画面Ｐ２が表示されるより前に他の画面が表示されることを抑制することができる。
【０１３１】
なお、その後、主制御部１１０は、省電力状態からの復帰操作がユーザによってなされた場合に、ロックアプリ部１３０に対して、省電力状態からの復帰要求を出力するとともに、表示部１３を点灯させる。また、ロックアプリ部１３０は、省電力状態からの復帰要求を受け付けると、ロック状態で待機した状態、すなわち、ロック解除操作を受け付けない状態を中断する。これにより、表示部１３の暗状態が解除され、ロック解除操作を受付可能なロック画面Ｐ２が表示部１３に表示される。
【０１３２】
次に、図１５および図１６を用いて、ロック画面Ｐ２の設定処理以降の処理手順について説明する。なお、図１５および図１６には、ロック状態で待機した状態、すなわち、ロック解除操作を受け付けない状態が解除された後の処理手順を示している。具体的には、図１５には、ロック画面Ｐ２（図５参照）が表示された状態から、第２アプリ部１４０によってウェブページ画面Ｐ６（図１１参照）が表示されるまでの処理手順を示している。また、図１６には、ウェブページ画面Ｐ６が表示されてから、第１アプリ部１６０によってウェブページ画面Ｐ１（図１３参照）が表示されるまでの処理手順を示している。
【０１３３】
図１５に示すように、ロックアプリ部１３０は、ロック画面Ｐ２が表示された状態において、特定の操作が行われた旨の通知を主制御部１１０から受けると（ステップＳ１０１）、表示部１３に音声入力画面Ｐ４（図７参照）を表示する（ステップＳ１０２）。
【０１３４】
つづいて、ロックアプリ部１３０は、ユーザの発話から変換されたテキストデータを音声認識部１２０から取得すると（ステップＳ１３０）、起動指示と、取得したテキストデータと、ロック画面Ｐ２の画像データとを第２アプリ部１４０に出力する（ステップＳ１０４）。
【０１３５】
つづいて、第２アプリ部１４０は、起動指示に従って起動し、ロックアプリ部１３０から取得したテキストデータを検索キーワードとする検索要求をサーバ２０へ送信して、サーバ２０から検索結果を受信する（ステップＳ１０５）。
【０１３６】
そして、第２アプリ部１４０は、サーバ２０から受信した検索結果と、ロックアプリ部１３０から取得したロック画面Ｐ２の画像データとを用いて検索結果のリスト画面Ｐ３（図１０参照）を生成して表示部１３に表示する（ステップＳ１０６）。かかるリスト画面Ｐ３は、リスト画面Ｐ３を介してロック画面Ｐ２が背景として視認可能な状態であるため、第２アプリ部１４０によるウェブ検索がロック状態で行われていることをユーザに認識させることができる。
【０１３７】
つづいて、第２アプリ部１４０は、検索結果のリストの中からリンク先を選択する操作がなされた旨の通知を主制御部１１０から受けると（ステップＳ１０７）、選択されたリンク先のＵＲＬを含むページリクエストをサーバ２０に対して送信して、該当するウェブページＭ９をサーバ２０から受信する（ステップＳ１０８）。
【０１３８】
そして、第２アプリ部１４０は、サーバ２０から受信したウェブページＭ９を含むウェブページ画面Ｐ６（図１１参照）を表示部１３に表示する（ステップＳ１０９）。このウェブページ画面Ｐ６に含まれるウェブページＭ９は、端末保有情報Ｘを用いずに取得されるため、ロック状態において端末保有情報Ｘの漏洩を抑制することができる。
【０１３９】
つづいて、図１６に示すように、第２アプリ部１４０は、遷移ボタンＢ１が押下された旨の通知を主制御部１１０から受けると（ステップＳ１１０）、遷移要求とＵＲＬ情報１３７ａとをロックアプリ部１３０に出力する（ステップＳ１１１）。
【０１４０】
つづいて、ロックアプリ部１３０は、第２アプリ部１４０から遷移要求を取得すると、表示部１３に解除情報入力画面Ｐ５（図８参照）を表示する（ステップＳ１１２）。そして、ロックアプリ部１３０は、ユーザによる解除情報の入力を受け付けると（ステップＳ１１３）、ユーザを認証し（ステップＳ１１４）、認証に成功すると、ロック状態を解除する（ステップＳ１１５）。なお、ロックアプリ部１３０は、ユーザの認証に失敗した場合には、ユーザに対して解除情報の再入力を促すメッセージを解除情報入力画面Ｐ５に表示させる。
【０１４１】
つづいて、ロックアプリ部１３０は、起動指示と、第２アプリ部１４０から取得したＵＲＬ情報１３７ａとを第１アプリ部１６０に出力する（ステップＳ１１６）。つづいて、第１アプリ部１６０は、起動指示に従って起動し、ロックアプリ部１３０から取得したＵＲＬ情報１３７ａを含むページリクエストをサーバ２０に対して送信して、該当するウェブページＭ１１をサーバ２０から受信する（ステップＳ１１７）。そして、第１アプリ部１６０は、サーバ２０から受信したウェブページＭ１１を含むウェブページ画面Ｐ１（図１３参照）を表示部１３に表示する（ステップＳ１１８）。このウェブページ画面Ｐ１に含まれるウェブページＭ１１は、端末保有情報Ｘを用いて取得されるため、たとえばウェブサイトに登録されたユーザ名や購入履歴等を反映させることができる。
【０１４２】
〔４．変形例〕
上述した実施形態に係る端末装置１０は、上記実施形態以外にも種々の異なる形態にて実施されてよい。そこで、以下では、上記の端末装置１０の他の実施形態について説明する。
【０１４３】
〔４−１．設定部１３１〕
上述した実施形態では、移行要求受付部１３８が、省電力状態への移行要求を受け付けた場合に、設定部１３１が、ロック状態を設定する場合を例示したが、ロック状態の設定方法は、上記の例に限定されない。
【０１４４】
たとえば、省電力状態への移行要求が受け付けられた場合に、ロック画面Ｐ２に対応するダミー画像を生成しておき、省電力状態から通常状態への復帰要求を受け付けた場合に、生成しておいたダミー画像を表示部１３に表示するようにしてもよい。通常状態へ復帰する時点でダミー画像が既に生成された状態であるため、通常状態への復帰要求を受け付けてから表示処理を開始したとしても、処理に要する時間が短くて済む。したがって、ロック画面Ｐ２が表示されるより前に他の画面が表示されることを抑制することができる。
【０１４５】
図１７は、実施形態に係るロックアプリ部の他の構成例を示す図である。なお、図１７では、図３に示す設定部１３１、移行要求受付部１３８および復帰要求受付部１３９以外の構成を省略している。
【０１４６】
図１７に示すように、ロックアプリ部１３０Ａは、移行要求受付部１３８と、復帰要求受付部１３９と、第１モード処理部２１０と、第２モード処理部２２０と、切替部２３０とを備える。第１モード処理部２１０は、上述した設定部１３１を備える。また、第２モード処理部２２０は、ダミー画像生成部２２１と、表示処理部２２２と、設定部２２３と、記憶部２２４とを備える。
【０１４７】
かかるロックアプリ部１３０Ａは、上述した設定部１３１を備える第１モード処理部２１０が動作する第１モードと、第１モード処理部２１０に代えて、第２モード処理部２２０が動作する第２モードとを切替部２３０により切り替えることができる。
【０１４８】
（移行要求受付部１３８について）
移行要求受付部１３８は、主制御部１１０から省電力状態への移行要求を受け付ける。また、移行要求受付部１３８は、第１モードにおいて省電力状態への移行要求を受け付けた場合、第１モード処理部２１０の設定部１３１に対して、ロック状態の設定要求を出力する。一方、移行要求受付部１３８は、第２モードにおいて省電力状態への移行要求を受け付けた場合には、第２モード処理部２２０のダミー画像生成部２２１に対して、ダミー画像の生成要求を出力する。
【０１４９】
（復帰要求受付部１３９について）
復帰要求受付部１３９は、主制御部１１０から省電力状態からの復帰要求を受け付ける。また、復帰要求受付部１３９は、第２モードにおいて省電力状態からの復帰要求を受け付けた場合に、復帰要求を受け付けた旨の通知を表示処理部２２２および設定部２２３に出力する。
【０１５０】
（ダミー画像生成部２２１について）
ダミー画像生成部２２１は、移行要求受付部１３８からダミー画像の生成要求を取得した場合に、ダミー画像２２４ａを生成して記憶部２２４に記憶する。ここで、ダミー画像２２４ａは、たとえば図５に示すロック画面Ｐ２と同じ外観の画像である。ただし、ダミー画像２２４ａは、ロック画面Ｐ２とは異なり、ユーザからの操作を受け付けることができない。
【０１５１】
（表示処理部２２２について）
表示処理部２２２は、復帰要求を受け付けた旨の通知を復帰要求受付部１３９から取得した場合に、記憶部２２４に記憶されたダミー画像２２４ａの画像データを主制御部１１０へ出力する。ダミー画像２２４ａの画像データを取得した主制御部１１０は、ダミー画像２２４ａを表示部１３に表示させる。
【０１５２】
（設定部２２３について）
設定部２２３は、復帰要求を受け付けた旨の通知を復帰要求受付部１３９から取得した場合に、ロック状態を設定する。すなわち、設定部２２３は、ロック画面Ｐ２を生成して表示部１３に表示する処理を行う。また、設定部２２３は、ロック状態を設定すると、起動要求受付部１３２に対し、ロック状態を設定した旨の通知を出力する。起動要求受付部１３２は、上記通知を取得した場合に、第２アプリケーションの起動要求を受け付ける。
【０１５３】
このように、第２モード状態において、ロックアプリ部１３０Ａは、省電力状態からの復帰要求を受け付けた場合に、ダミー画像２２４ａを表示部１３に表示する処理と、ロック画面Ｐ２を生成して表示部１３に表示する処理とを行う。
【０１５４】
ダミー画像２２４ａを表示する処理は、既に生成されたダミー画像２２４ａを表示する処理であるため、ロック画面Ｐ２を生成して表示する処理と比べて処理に要する時間が短い。したがって、表示部１３には、ロック画面Ｐ２に先立ってダミー画像２２４ａが表示されることとなる。このように、ロック画面Ｐ２を生成して表示する処理が完了するまでの間、ダミー画像２２４ａが表示されるため、省電力状態からの復帰時において、ロック画面Ｐ２が表示されるより前に他の画面が表示されることを抑制することができる。
【０１５５】
（切替部２３０について）
切替部２３０は、第１モードと第２モードとを切り替える。たとえば、切替部２３０は、端末装置１０に内蔵された充電池の残容量が閾値を下回った場合に、第１モードから第２モードへ切り替えるようにしてもよい。
【０１５６】
省電力状態から復帰するまでの間、ロック状態で待機し続ける第１モードと比べて、通常状態への復帰要求を受け付けてからロック状態を設定する第２モードは、消費電力が少ない。そこで、充電池の残容量が閾値を下回った場合に、第１モードから第２モードへ切り替えることで、消費電力を節約しつつ、省電力状態からの復帰時において、ロック画面Ｐ２が表示されるより前に他の画面が表示されることを抑制することができる。
【０１５７】
なお、本例に限らず、切替部２３０は、ユーザの入力操作に応じて第１モードと第２モードとを切り替えてもよい。
【０１５８】
〔４−２．第１アプリケーションおよび第２アプリケーション〕
上述した実施形態では、第１アプリケーションと第２アプリケーションとが別個のアプリケーションである場合を例示したが、第１アプリケーションと第２アプリケーションとは、同じ単一のアプリケーションであってもよい。言い換えれば、第１アプリ部１６０と第２アプリ部１４０とは機能的に統合された一つのアプリ部であってもよい。
【０１５９】
ここで、図１８を用いて、第１アプリ部１６０と第２アプリ部１４０とを機能的に統合したアプリ部について説明する。図１８は、第１アプリ部１６０と第２アプリ部１４０とを機能的に統合したアプリ部の構成例を示す図である。
【０１６０】
図１８に示すように、アプリ部１９０は、状態識別部１９１と、アクセス処理部１９２と、表示処理部１９３と、遷移要求通知部１９４と、消去部１９５と、記憶部１９６とを備える。
【０１６１】
（記憶部１９６について）
記憶部１９６は、状態情報１９６ａと、第１アプリ情報１９６ｂと、第２アプリ情報１９６ｃとを記憶する。状態情報１９６ａは、端末装置１０がロック状態であるかロック解除状態であるかを識別する情報である。
【０１６２】
第１アプリ情報１９６ｂは、第１アプリ部１６０の記憶部１６３に記憶された情報に相当し、クッキー情報１９６ｂ１および履歴情報１９６ｂ２等を含む。また、第２アプリ情報１９６ｃは、第２アプリ部１４０の記憶部１４５に記憶された情報に相当し、ＵＲＬ情報１９６ｃ１、クッキー情報１９６ｃ２および履歴情報１９６ｃ３等を含む。
【０１６３】
（状態識別部１９１について）
状態識別部１９１は、端末装置１０がロック状態であるかロック解除状態であるかを識別する。たとえば、ロックアプリ部１３０がフォアグラウンドで起動している場合に、端末装置１０がロック状態であると識別し、バックグラウンドで起動している場合あるいは起動していない場合には、端末装置１０がロック解除状態であると識別する。そして、状態識別部１９１は、端末装置１０がロック状態であると識別した場合には、ロック状態を示す状態情報１９６ａを記憶部１９６に記憶し、端末装置１０がロック解除状態であると識別した場合には、ロック解除状態を示す状態情報１９６ａを記憶部１９６に記憶する。
【０１６４】
（アクセス処理部１９２について）
アクセス処理部１９２は、サーバ２０へのアクセスを行う。かかるアクセス処理部１９２は、記憶部１９６に記憶された状態情報１９６ａに応じたアクセス処理を行う。すなわち、アクセス処理部１９２は、ロック状態を示す状態情報１９６ａが記憶部１９６に記憶されている場合には、第２アプリ部１４０のアクセス処理部１４１と同様のアクセス処理を行う。すなわち、アクセス処理部１９２は、第２アプリ情報１９６ｃを用いてサーバ２０へのアクセスを行う。言い換えれば、アクセス処理部１９２は、第１アプリ情報１９６ｂあるいは記憶部１５に記憶された端末識別情報１５ａや位置情報１５ｂ等を含む端末保有情報Ｘを用いずにサーバ２０へのアクセスを行う。
【０１６５】
また、アクセス処理部１９２は、ロック解除状態を示す状態情報１９６ａが記憶部１９６に記憶されている場合には、第１アプリ部１６０のアクセス処理部１６１と同様のアクセス処理を行う。すなわち、アクセス処理部１９２は、第１アプリ情報１９６ｂあるいは記憶部１５に記憶された端末識別情報１５ａや位置情報１５ｂ等を含む端末保有情報Ｘを用いてサーバ２０へのアクセスを行う。
【０１６６】
（表示処理部１９３について）
表示処理部１９３は、アクセス処理部１９２によって検索結果やウェブページが取得された場合に、上述したリスト画面Ｐ３やウェブページ画面Ｐ１，Ｐ６を表示部１３に表示する。
【０１６７】
（遷移要求通知部１９４について）
遷移要求通知部１９４は、リスト画面Ｐ３やウェブページ画面Ｐ６に表示される遷移ボタンＢ１が押下された場合に、ロックアプリ部１３０に対して遷移要求を出力する。また、遷移要求通知部１９４は、遷移要求と合わせて、記憶部１９６に記憶されたＵＲＬ情報１９６ｃ１をロックアプリ部１３０に出力する処理も行う。
【０１６８】
（消去部１９５について）
消去部１９５は、記憶部１９６に記憶された情報のうち、第２アプリ情報１９６ｃを消去する。具体的には、消去部１９５は、ロックアプリ部１３０によってロック状態が解除された場合に、第２アプリ情報１９６ｃを消去する。
【０１６９】
このように、第１アプリ部１６０と第２アプリ部１４０とは、機能的に統合された一つのアプリ部１９０として構成されてもよい。
【０１７０】
なお、図３，７，１０および１４の矢印は、データや制御などの流れについて主要な方向を補助的に示すもので、他の流れを否定するものでも、方向の限定を意味するものでもない。
【０１７１】
また、上述した実施形態では、ロックアプリ部１３０と第２アプリ部１４０とを分けて説明したが、ロックアプリ部１３０と第２アプリ部１４０とは機能的に統合して構成されてもよい。同様に、ロックアプリ部１３０とアプリ部１９０とは機能的に統合されてもよい。
【０１７２】
〔４−３．適用対象〕
また、上述した実施形態では、第１アプリケーションと第２アプリケーションとがブラウザアプリケーションである場合を例示したが、第１アプリケーションおよび第２アプリケーションは、ブラウザアプリケーション以外のアプリケーションであってもよい。たとえば、第１アプリケーションおよび第２アプリケーションは、ナビゲーションアプリであってもよい。
【０１７３】
この場合、第２アプリ部は、端末保有情報Ｘを用いずにサーバ２０へアクセスすることにより、サーバ２０から地図データを取得して表示部１３に表示する。すなわち、ロック状態で起動する第２アプリ部では、端末保有情報Ｘを用いないため、位置情報を用いたナビゲーションを行うことはできないものの、地図データの閲覧は行うことができる。一方、ロック解除状態で起動する第１アプリ部は、端末保有情報Ｘを用いてサーバ２０へアクセスする。これにより、位置情報を用いたナビゲーションを行うことが可能となる。
【０１７４】
また、上述した実施形態では、端末装置が通話機能を有するスマートフォンや携帯電話機である場合を例示したが、端末装置は、通話機能を有さないタブレット型ＰＣやＰＤＡ（Personal  Digital  Assistant）等であってもよい。
【０１７５】
〔４−４．第２アプリ部１４０のアクセス処理部１４１〕
上述した実施形態では、アクセス処理部１４１が、クッキー情報１４５ａや履歴情報１４５ｂを記憶部１４５に記憶する場合を例示したが、アクセス処理部１４１は、これらの情報を記憶部１４５に記憶しないようにしてもよい。たとえば、アクセス処理部１４１は、クッキーの送受信を行わないようにしてもよい。これにより、第２アプリ部１４０にクッキー情報や履歴情報等が蓄積されることを防止することができる。
【０１７６】
〔４−５．第２アプリ部１４０の消去部１４４〕
上述した実施形態では、消去部１４４が、ロックアプリ部１３０によってロック状態が解除された場合に、記憶部１４５に記憶された情報を消去する場合を例示した。しかし、消去部１４４は、この例に限らず、たとえば、端末装置１０がロック状態へ移行した場合に、記憶部１４５に記憶された情報を消去してもよい。また、消去部１４４は、第２アプリ部１４０が起動してからの経過時間を計測し、計測した経過時間が閾値を超えた場合に記憶部１４５に記憶された情報を消去してもよい。これにより、第２アプリ部１４０にクッキー情報や履歴情報等が蓄積されることを防止することができる。
【０１７７】
〔４−６．プログラム〕
また、上述してきた実施形態にかかる端末装置１０は、例えば図１９に示すような構成のコンピュータ１０００によって実現される。図１９は、端末装置１０の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１７８】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１７９】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１８０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１８１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１８２】
例えば、コンピュータ１０００が実施形態にかかる端末装置１０として機能する場合、コンピュータ１０００のＣＰＵ１１００は、ＲＡＭ１２００上にロードされたプログラムを実行することにより、主制御部１１０と、通話制御部１１５と、音声認識部１２０と、ロックアプリ部１３０と、第２アプリ部１４０と、アプリ部群１５０とを実現する。また、ＨＤＤ１４００には、記憶部１５内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１８３】
〔４−７．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１８４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１８５】
また、上述してきた各実施形態は、処理内容を矛盾させない範囲で適宜組み合わせることが可能である。
【０１８６】
〔５．効果〕
上述してきたように、実施形態に係る端末装置１０は、移行要求受付部１３８と、設定部１３１と、復帰要求受付部と、解除情報受付部１３５（「解除操作受付部」の一例に相当）とを備える。移行要求受付部１３８は、省電力状態への移行要求を受け付ける。設定部１３１は、移行要求受付部１３８によって移行要求が受け付けられた場合に、所定の機能の起動を制限するロック状態を設定し、ロック状態で待機する。復帰要求受付部１３９は、省電力状態からの復帰要求を受け付ける。解除情報受付部１３５は、復帰要求受付部１３９によって復帰要求が受け付けられた場合に、ロック状態で待機した状態を中断して、ロック状態の解除操作を受け付ける。
【０１８７】
これにより、実施形態に係る端末装置１０では、省電力状態からの復帰時において、ロック画面Ｐ２が表示されるより前に他の画面が表示されることを抑制することができる。
【０１８８】
また、実施形態に係る端末装置１０では、設定部１３１が、省電力状態への移行要求が受け付けられた場合に、ロック状態を示すロック画面Ｐ２を表示部１３へ表示させた状態で表示部１３を消灯する。
【０１８９】
これにより、実施形態に係る端末装置１０では、端末装置１０を適切に省電力状態へ移行させつつ、省電力状態からの復帰時において、ロック画面Ｐ２が表示されるより前に他の画面が表示されることを抑制することができる。
【０１９０】
また、実施形態に係る端末装置１０では、端末装置１０が、着信を通知する着信通知機能を有し、設定部１３１が、複数の表示レイヤＬ１〜Ｌ４のうち、着信通知機能によって使用される表示レイヤＬ２と同一の表示レイヤＬ２にロック画面Ｐ２を表示する。
【０１９１】
これにより、実施形態に係る端末装置１０では、ロック画面Ｐ２を他のアプリケーションによって表示される画面よりも前面に表示させることができる。
【０１９２】
また、実施形態に係る端末装置１０では、ロック状態で待機した状態において、表示部１３への表示処理を繰り返す停止抑制部１３１ｃを備える。
【０１９３】
これにより、実施形態に係る端末装置１０では、ロックアプリ部１３０が主制御部１１０によって停止されることを抑制することができる。
【０１９４】
また、実施形態に係る端末装置１０では、ダミー画像生成部２２１と、表示処理部２２２と、切替部２３０とを備える。ダミー画像生成部２２１は、省電力状態への移行要求が受け付けられた場合に、ロック画面Ｐ２に対応するダミー画像２２４ａを生成する。表示処理部２２２は、復帰要求受付部１３９によって復帰要求が受け付けられた場合に、ダミー画像生成部２２１によって生成されたダミー画像２２４ａを表示部１３に表示する。切替部２３０は、第１モードと第２モードとを切り替える。設定部１３１は、第１モードにおいて、移行要求受付部１３８によって移行要求が受け付けられた場合に、ロック状態を設定し、ロック状態で待機する。ダミー画像生成部２２１は、第２モードにおいて、ダミー画像２２４ａを生成する。
【０１９５】
これにより、実施形態に係る端末装置１０では、ロック画面Ｐ２を生成して表示する処理が完了するまでの間、ダミー画像２２４ａを表示させておくことで、省電力状態からの復帰時において、ロック画面Ｐ２が表示されるより前に他の画面が表示されることを抑制することができる。
【０１９６】
また、実施形態に係る端末装置１０では、切替部２３０が、端末装置１０に内蔵された充電池の残容量が閾値を下回った場合に、第１モードから第２モードへ切り替える。
【０１９７】
これにより、実施形態に係る端末装置１０では、消費電力を節約しつつ、省電力状態からの復帰時において、ロック画面Ｐ２が表示されるより前に他の画面が表示されることを抑制することができる。
【０１９８】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１９９】
また、上述してきた「部（section、module、unit）」は、「手段」や「回路」などに読み替えることができる。例えば、受付部は、受付手段や受付回路に読み替えることができる。
【符号の説明】
【０２００】
１０  端末装置
２０  サーバ
１３０  ロックアプリ部
１３１  設定部
１３２  起動要求受付部
１３３  起動部
１３４  遷移要求受付部
１３５  解除情報受付部
１３６  遷移部
１３７  記憶部
１３８  移行要求受付部
１４０  第２アプリ部
１４１  アクセス処理部
１４２  表示処理部
１４３  遷移要求通知部
１４４  消去部
１６０  第１アプリ部
１６１  アクセス処理部
１６２  表示処理部
１６３  記憶部
【図１】
2016062398.tif 000003
【図２】
2016062398.tif 000004
【図３】
2016062398.tif 000005
【図４】
2016062398.tif 000006
【図５】
2016062398.tif 000007
【図６】
2016062398.tif 000008
【図７】
2016062398.tif 000009
【図８】
2016062398.tif 000010
【図９】
2016062398.tif 000011
【図１０】
2016062398.tif 000012
【図１１】
2016062398.tif 000013
【図１２】
2016062398.tif 000014
【図１３】
2016062398.tif 000015
【図１４】
2016062398.tif 000016
【図１５】
2016062398.tif 000017
【図１６】
2016062398.tif 000018
【図１７】
2016062398.tif 000019
【図１８】
2016062398.tif 000020
【図１９】
2016062398.tif 000021